(57)【特許請求の範囲】
【請求項１】
前後方向へ延びて一方面が塗着面側で他方面が非塗着面側となるウエブ通路の両面に一方側及び他方側のノズル箱から気体を吹き付ける乾燥室の二つを隣接させた浮揚乾燥装置と、隣接する乾燥室の間に配置した蛇行修正装置とを備えた蛇行修正装置付き浮揚乾燥設備であって、
蛇行修正装置は、ウエブ通路の他方面に接触する平行な二本のガイドロールと、二本のガイドロールの間で両ガイドロールに跨がるウエブ通路の他方面外側に向かって突出して彎曲するウエブ通路部分に向かって気体を吹き付けてウエブ通路と非接触になる巻掛け用気体吹付け具と、二本のガイドロール及び巻掛け用気体吹付け具を左右方向に対して傾動させる傾動操作具とを備えた
ことを特徴とする蛇行修正装置付き浮揚乾燥設備。
【請求項２】
前後方向へ延びて一方面が塗着面側で他方面が非塗着面側となるウエブ通路の両面に一方側及び他方側のノズル箱から気体を吹き付ける乾燥室の二つを隣接させた浮揚乾燥装置と、隣接する乾燥室の間に配置した蛇行修正装置とを備えた蛇行修正装置付き浮揚乾燥設備であって、
蛇行修正装置は、ウエブ通路の他方面に接触するガイドロールと、ウエブ通路の一方面外側からウエブ通路の一方面に向かって気体を吹き付け、ウエブ通路にガイドロールに沿う巻掛け領域を形成させてウエブ通路と非接触になる巻掛け用気体吹付け具と、ガイドロール及び巻掛け用気体吹付け具を左右方向に対して傾動させる傾動操作具とを備えた
ことを特徴とする蛇行修正装置付き浮揚乾燥設備。
【請求項３】
前記ガイドロールを一本備え、
前記巻掛け用気体吹付け具が、ウエブ通路の巻掛け領域における通路上流・下流両側の縁部近辺箇所へ向かって気体を吹き付ける吹出し口を備えている
請求項２記載の蛇行修正装置付き浮揚乾燥設備。
【請求項４】
前記巻掛け用気体吹付け具が、ウエブ通路を介してガイドロールに対面する気体案内面部を備え、気体案内面部の両縁部に曲成したコアンダ部の各々に前記吹出し口を面するようにした
請求項３記載の蛇行修正装置付き浮揚乾燥設備。
【請求項５】
前記ガイドロールの複数本を間隔を開けて平行に並設させ、
前記巻掛け用気体吹付け具が、通路上流側のガイドロールに接するウエブ通路の巻掛け領域における上流側縁部近辺箇所へ向かって気体を吹き付ける吹出し口と、通路下流側のガイドロールに接するウエブ通路の巻掛け領域における下流側縁部近辺箇所へ向かって気体を吹き付ける吹出し口と、隣接するガイドロールの間に向かって気体を吹き付ける中間の吹出し口とを備えている
請求項２記載の蛇行修正装置付き浮揚乾燥設備。
【請求項６】
前記ガイドロールの複数本を間隔を開けて並設させ、
前記巻掛け用気体吹付け具が、通路上流側のガイドロールに接するウエブ通路の巻掛け領域における上流側縁部近辺箇所へ向かって気体を吹き付ける吹出し口と、通路下流側のガイドロールに接するウエブ通路の巻掛け領域における下流側縁部近辺箇所へ向かって気体を吹き付ける吹出し口と、ウエブ通路を介してこれらガイドロールに対面する気体案内面部を備え、気体案内面部の両縁部に曲成したコアンダ部の各々に吹出し口を面するようにした
請求項２記載の蛇行修正装置付き浮揚乾燥設備。
【請求項７】
前記蛇行修正装置が、隣接する乾燥室の間に蛇行修正室を設け、
蛇行修正室の室内を囲む仕切壁部が、各乾燥室の室内を囲む仕切壁部へ気密状に接合され、
前記ガイドロール及び巻掛け用気体吹付け具が、蛇行修正室の仕切壁部に開設されている開口部を挿通して、蛇行修正室の室外に配置されている非通気性の連結板に連結され、  これら開口部の周縁及び連結板が、ガイドロール及び巻掛け用気体吹付け具の端側を囲む可撓性且つ非通気性の接合筒部で気密状に接合され、
傾動操作具が、蛇行修正室の室外で連結板に連結されている
請求項１乃至６のいずれか１項に記載の蛇行修正装置付き浮揚乾燥設備。
【請求項８】
前記蛇行修正室の室内と前記巻掛け用気体吹付け具を連絡する循環通路と、循環通路に配置した循環ファン及び温度調節器付きの加熱器と、循環通路に接合した風量調節用ダンパ付き排気路とを有する気体循環装置を備え、
加熱器を温度調節することで、蛇行修正室の室内におけるガイドロールの周囲の気体の温度を、乾燥室から送り出されてくるウエブの温度値以下にできるようにした
請求項７に記載の蛇行修正装置付き浮揚乾燥設備。
【請求項９】
隣接する乾燥室が、各乾燥室の一方側及び他方側のノズル箱の間でウエブ通路に沿って延びる仮想平面について、仮想平面どうしを交差させた
請求項１乃至８のいずれか１項に記載の蛇行修正装置付き浮揚乾燥設備。
【発明の詳細な説明】
【技術分野】
【０００１】
本発明は、フィルム又は紙等のウエブの上下両面にノズルから熱風を吹き付けてウエブを浮揚させながらウエブの片側表面に塗着されている塗膜を乾燥させる浮揚乾燥装置において、浮揚乾燥装置の内部を走行中に生じるウエブの幅方向への蛇行を修正するようにした蛇行修正装置付き浮揚乾燥設備に関する。
【背景技術】
【０００２】
浮揚乾燥装置の内部のウエブ通路を走行するウエブの蛇行を修正する蛇行修正装置（前者）は、ウエブ通路の上面側においてウエブ通路の幅方向の一方側の端部と他方側の端部にそれぞれ配設された第１の吸引ノズルおよび第２の吸引ノズルと、ウエブ通路の下面側においてウエブ通路の幅方向の一方側の端部と他方側の端部にそれぞれ配設された第３の吸引ノズルおよび第４の吸引ノズルと、第１の吸引ノズルおよび第３の吸引ノズルがそれぞれ接続される開度調整機構を備えた第１のダクトと、第２の吸引ノズルおよび第４の吸引ノズルがそれぞれ接続される開度調整機構を備えた第２のダクトと、第１および第２のダクト内の気体を吸引する吸引装置とを有し、第１のダクトの開度調整機構と第２のダクトの開度調整機構とを独立して操作可能としたものがある（特許文献１）。
【０００３】
走行するウエブにウエブの幅方向への蛇行を生じた場合には、第１のダクトおよび第２のダクトの開度調整機構を操作することによって、ウエブの一方側の端部に設けられた第１の吸引ノズルおよび第３の吸引ノズルからウエブの他方側の端部に設けられた第２の吸引ノズルおよび第４の吸引ノズル側へ、あるいはその逆方向へウエブ付近の気体が流動するために、ウエブの幅方向への気体の流動によってウエブを蛇行方向と逆方向へ移動させて蛇行を修正しようとする。
【０００４】
また、浮揚乾燥装置の外側でウエブの蛇行を修正する蛇行修正装置（後者）としては、走行中のウエブの一方表面に接する二本のロール及び他方表面に接する一本のロールを、ウエブ走行方向の幅方向へ傾動自在としたものがある（特許文献２）。
【先行技術文献】
【特許文献】
【０００５】
【特許文献１】特許第３６７６５９９号公報
【特許文献２】特開２００９−１９０８５４号公報
【発明の概要】
【発明が解決しようとする課題】
【０００６】
ところで、前者の蛇行修正装置は、ウエブの蛇行を修正するときに、ウエブの幅方向の一方側へ流動する気体の風量と他方側へ流動する気体の風量との割合が変化するので、ウエブの幅方向の全域における乾燥能力に不均一が生じ、その結果、ウエブの片側表面に塗着されている塗膜の幅方向について乾燥状態の不均一を生じさせる問題がある。
【０００７】
後者の蛇行修正装置は、浮揚乾燥装置のウエブ通路の途中に配置したとき、ウエブの片側表面に塗着されている塗膜がロールに接触するため、塗膜に傷等の欠陥を生じさせる問題がある。
【０００８】
本発明は、前記問題を解決するために、塗膜の幅方向における乾燥状態の不均一や、塗膜に傷等の欠陥を生じさせない蛇行修正装置付き浮揚乾燥設備の提供を目的とする。
【課題を解決するための手段】
【０００９】
塗膜の幅方向における乾燥状態の不均一や、塗膜に傷等の欠陥を生じさせないために請求項１記載の本発明が採用した手段は、図１乃至図１１に示す如く、前後方向へ延びて一方面Ｒｗが塗着面側で他方面Ｒｄが非塗着面側となるウエブ通路Ｒの両面に一方側及び他方側のノズル箱３から気体を吹き付ける乾燥室２ａの二つを隣接させた浮揚乾燥装置２と、隣接する乾燥室２ａ，２ａの間に配置した蛇行修正装置４とを備えた蛇行修正装置付き浮揚乾燥設備であって、蛇行修正装置４は、ウエブ通路Ｒの他方面Ｒｄに接触する平行な二本のガイドロール６，６と、二本のガイドロール６，６の間で両ガイドロール６，６，に跨がるウエブ通路Ｒの他方面外側に向かって突出して彎曲するウエブ通路部分Ｒａに向かって気体を吹き付けてウエブ通路Ｒと非接触になる巻掛け用気体吹付け具７と、二本のガイドロール６，６及び巻掛け用気体吹付け具７を左右方向に対して傾動させる傾動操作具８とを備えたことを特徴とする蛇行修正装置付き浮揚乾燥設備である。
【００１０】
塗膜の幅方向における乾燥状態の不均一や、塗膜に傷等の欠陥を生じさせないために請求項２記載の本発明が採用した手段は、図１乃至図１０に示す如く、前後方向へ延びて一方面Ｒｗが塗着面側で他方面Ｒｄが非塗着面側となるウエブ通路Ｒの両面に一方側及び他方側のノズル箱３から気体を吹き付ける乾燥室２ａの二つを隣接させた浮揚乾燥装置２と、隣接する乾燥室２ａ，２ａの間に配置した蛇行修正装置４とを備えた蛇行修正装置付き浮揚乾燥設備であって、蛇行修正装置４は、ウエブ通路Ｒの他方面Ｒｄに接触するガイドロール６と、ウエブ通路Ｒの一方面外側からウエブ通路Ｒの一方面Ｒｗに向かって気体を吹き付け、ウエブ通路Ｒにガイドロール６に沿う巻掛け領域Ｒｂを形成させてウエブ通路Ｒと非接触になる巻掛け用気体吹付け具７と、ガイドロール６及び巻掛け用気体吹付け具７を左右方向に対して傾動させる傾動操作具８とを備えたことを特徴とする蛇行修正装置付き浮揚乾燥設備である。
【００１１】
蛇行修正装置の構造を簡単にするため請求項３記載の本発明が採用した手段は、図１１乃至図１３に示す如く、前記ガイドロール６を一本備え、前記巻掛け用気体吹付け具５７が、ウエブ通路Ｒの巻掛け領域Ｒｂにおける通路上流・下流両側の縁部近辺箇所Ｒｃ，Ｒｃへ向かって気体を吹き付ける吹出し口５７ｃ，５７ｃを備えている請求項２記載の蛇行修正装置付き浮揚乾燥設備である。
【００１２】
ガイドロール６にウエブＷを確実にガイドさせるために請求項４記載の本発明が採用した手段は、図１３に示す如く、前記巻掛け用気体吹付け具５７が、ウエブ通路Ｒを介してガイドロール６に対面する気体案内面部５７ｄを備え、気体案内面部５７ｄの両縁部に曲成したコアンダ部５７ｅ，５７ｅの各々に前記吹出し口５７ｃを面するようにした請求項３記載の蛇行修正装置付き浮揚乾燥設備である。
【００１３】
ガイドロール６にウエブＷを確実にガイドさせるために請求項５記載の本発明が採用した手段は、図１４及び図１５に示す如く、前記ガイドロール６の複数本を間隔を開けて平行に並設させ、前記巻掛け用気体吹付け具５７が、通路上流側のガイドロール６に接するウエブ通路Ｒの巻掛け領域Ｒｂにおける上流側縁部近辺箇所Ｒｃへ向かって気体を吹き付ける吹出し口５７ｃと、通路下流側のガイドロール６に接するウエブ通路Ｒの巻掛け領域Ｒｂにおける下流側縁部近辺箇所Ｒｃへ向かって気体を吹き付ける吹出し口５７ｃと、隣接するガイドロールの間に向かって気体を吹き付ける中間の吹出し口５７ｃとを備えている請求項２記載の蛇行修正装置付き浮揚乾燥設備である。
【００１４】
ガイドロール６にウエブＷを確実にガイドさせるために請求項６記載の本発明が採用した手段は、図１６に示す如く、前記ガイドロール６の複数本を間隔を開けて並設させ、前記巻掛け用気体吹付け具５７が、通路上流側のガイドロール６に接するウエブ通路Ｒの巻掛け領域Ｒｂにおける上流側縁部近辺箇所Ｒｃへ向かって気体を吹き付ける吹出し口５７ｃと、通路下流側のガイドロール６に接するウエブ通路Ｒの巻掛け領域Ｒｂにおける下流側縁部近辺箇所Ｒｃへ向かって気体を吹き付ける吹出し口５７ｃと、ウエブ通路Ｒを介してこれらガイドロール６に対面する気体案内面部５７ｄを備え、気体案内面部５７ｄの両縁部に曲成したコアンダ部５７ｅ，５７ｅの各々に吹出し口５７ｃを面するようにした請求項２記載の蛇行修正装置付き浮揚乾燥設備である。
【００１５】
乾燥室内２ｂの気体を蛇行修正装置４を介して外部へ漏洩させないために請求項７記載の本発明が採用した手段は、図２、図４及び図７に示す如く、前記蛇行修正装置４が、隣接する乾燥室２ａ，２ａの間に蛇行修正室４ａを設け、蛇行修正室４ａの室内４ｂを囲む仕切壁部４ｃが、各乾燥室２ａの室内２ｂを囲む仕切壁部２ｃへ気密状に接合され、前記ガイドロール６及び巻掛け用気体吹付け具７が、蛇行修正室４ａの仕切壁部４ｃに開設されている開口部４ｄを挿通して、蛇行修正室４ａの室外に配置されている非通気性の連結板９に連結され、これら開口部４ｄの周縁及び連結板９が、ガイドロール６及び巻掛け用気体吹付け具７の端側を囲む可撓性且つ非通気性の接合筒部１０で気密状に接合され、傾動操作具８が、蛇行修正室４ａの室外で連結板９に連結されている請求項１乃至６のいずれか１項に記載の蛇行修正装置付き浮揚乾燥設備である。
【００１６】
ウエブＷをガイドロール６で昇温させないために請求項８記載の本発明が採用した手段は、図１０に示す如く、前記蛇行修正室４の室内４ｂと前記巻掛け用気体吹付け具７を連絡する循環通路３４と、循環通路３４に配置した循環ファン３５及び温度調節器付きの加熱器３６と、循環通路３４に接合した風量調節用ダンパ付き排気路３８とを有する気体循環装置２５を備え、加熱器３６を温度調節することで、蛇行修正室４ａの室内４ｂにおけるガイドロール６の周囲の気体の温度を、乾燥室２ａから送り出されてくるウエブＷの温度値Ｔ２以下にできるようにした請求項７に記載の蛇行修正装置付き浮揚乾燥設備である。
【００１７】
隣接する乾燥室２ａ，２ａを屈折させた状態で連ねるために請求項９記載の本発明が採用した手段は、図１７及び図１８に示す如く、隣接する乾燥室２ａ，２ａが、各乾燥室２ａの一方側及び他方側のノズル箱３の間でウエブ通路Ｒに沿って延びる仮想平面Ｐについて、仮想平面Ｐ，Ｐどうしを交差させた請求項１乃至８のいずれか１項に記載の蛇行修正装置付き浮揚乾燥設備である。
【発明の効果】
【００１８】
請求項１及び２記載の本発明に係る蛇行修正装置付き浮揚乾燥設備は、ウエブ通路を走行するウエブに対して、蛇行修正装置のガイドロール及び巻掛け用気体吹付け具を傾動操作具で傾動させて蛇行修正を行うときに、乾燥室のノズル箱から吹き付けられてウエブの表面を通過する気体の移動状況に変化を生じさせないことから、塗膜の幅方向における乾燥状態の均一を保持できると共に、ウエブの塗着面側と蛇行修正装置との接触がないため、塗膜に傷等の欠陥を生じさせることもない。
【００１９】
また、請求項１記載の本発明に係る蛇行修正装置付き浮揚乾燥設備は、二本のガイドロールの間にウエブ通路の他方面外側に向かって突出する彎曲したウエブ通路部分を曲成することで、ガイドロールに対するウエブの巻掛け角度を大きくして、ガイドロールにウエブを滑らすことなくウエブを確実にガイドさせることができる。
【００２０】
請求項３記載の本発明に係る蛇行修正装置付き浮揚乾燥設備は、一本のガイドロールと、両側の吹出し口を有する巻掛け用気体吹付け具を備えることで、蛇行修正装置の構造を簡単にすることができる。
【００２１】
請求項４記載の本発明に係る蛇行修正装置付き浮揚乾燥設備は、巻掛け用気体吹付け具の両側の吹出し口から吹出した気体が、コアンダ部のコアンダ効果で気体案内面部へ方向転換して、ウエブ通路を走行するウエブと気体案内面部の間に、ウエブ通路の他方面側の静圧に比べて大きいプラス静圧を生じさせ、このプラス静圧でウエブをガイドロールに圧着させることで、ガイドロールにウエブを滑らすことなくウエブを確実にガイドさせることができる。
【００２２】
請求項５記載の本発明に係る蛇行修正装置付き浮揚乾燥設備は、巻掛け用気体吹付け具の両側の吹出し口及び中間の吹出し口から吹き出す気体で、ウエブ通路を走行するウエブを複数本のガイドロールに巻掛けて巻掛け長さを増大させることで、ガイドロールにウエブを滑らすことなくウエブを確実にガイドさせることができる。
【００２３】
請求項６記載の本発明に係る蛇行修正装置付き浮揚乾燥設備は、巻掛け用気体吹付け具の両側の吹出し口から吹出した気体が、コアンダ部のコアンダ効果で気体案内面部へ方向転換して、ウエブ通路を走行するウエブと気体案内面部の間に、ウエブ通路の他方面側の静圧に比べて大きいプラス静圧を生じさせ、このプラス静圧でウエブを複数本のガイドロールに圧着させて、複数本のガイドロールにウエブを滑らすことなくウエブを確実にガイドさせることができる。
【００２４】
請求項７記載の本発明に係る蛇行修正装置付き浮揚乾燥設備は、蛇行修正室の室内が蛇行修正室の仕切壁部、連結板及び接合筒部で気密状に囲まれているため、乾燥室内から蛇行修正室内へ移動した気体を外部へ漏洩させることがない。
【００２５】
請求項８記載の本発明に係る蛇行修正装置付き浮揚乾燥設備は、ガイドロールのウエブに接する外周面の温度値が、乾燥室から送り出されるウエブの温度値を越えないため、ガイドロールでウエブを昇温させることもなく、加熱による熱的収縮等のダメイジをウエブに与えることがない。
【００２６】
請求項９記載の本発明に係る蛇行修正装置付き浮揚乾燥設備は、隣接する乾燥室のウエブ通路に沿う仮想平面どうしを交差させることで、隣接する乾燥室の間でのウエブの浮揚状態を確保隣接しつつ隣接する乾燥室を屈折させた状態で連ねたい要請に応えることができる。
【図面の簡単な説明】
【００２７】
【図１】本発明に係る蛇行修正装置付き浮揚乾燥設備（以下、「本発明浮揚乾燥設備」と言う。）の第１の実施の形態を示す右側面図である。
【図２】図１のＣ２−Ｃ２線で断面した中間省略した平面図である。
【図３】図２のＣ３−Ｃ３線で断面した右側面図である。
【図４】図１のＣ４−Ｃ４線で断面した中間省略した正面図である。
【図５】第１の実施の形態における乾燥室２ａの上下両側のノズル箱３を拡大して示す断面した側面図である。
【図６】第１の実施の形態における蛇行修正装置４の二本のガイドロール６，６及び巻掛け用気体吹付け具７の回りを拡大して示す断面した側面図である。
【図７】第１の実施の形態における蛇行修正装置４の状態を示す中間省略した平面図であり、図（Ａ）は二本のガイドロール６，６及び巻掛け用気体吹付け具７が左右方向に対して傾動していない状態、図（Ｂ）は二本のガイドロール６，６及び巻掛け用気体吹付け具７が右側へ移動して傾動している状態、図（Ｃ）は二本のガイドロール６，６及び巻掛け用気体吹付け具７が左側へ移動して傾動している状態を示す。
【図８】第１の実施の形態における蛇行修正装置４の機構を簡略的に示す平面図である。
【図９】第１の実施の形態において、ウエブ通路Ｒの塗着面Ｒｗ側となる一方面と非塗着面Ｒｄ側となる他方面が逆転した場合に対応させた蛇行修正装置４の二本のガイドロール６，６及び巻掛け用気体吹付け具７の回りを拡大して示す断面した側面図である。
【図１０】第１の実施の形態における浮揚乾燥装置２の気体循環装置２４及び蛇行修正装置４の気体循環装置２５を示す概略図である。
【図１１】本発明浮揚乾燥設備の第２の実施の形態を示す断面した右側面図である。
【図１２】第２の実施の形態における蛇行修正装置４のガイドロール６及び巻掛け用気体吹付け具７の回りを拡大して示す断面した側面図である。
【図１３】第２の実施の形態における蛇行修正装置４のガイドロール６及び別態様の巻掛け用気体吹付け具５７の回りを拡大して示す断面した側面図であって、図（Ａ）は巻掛け用気体吹付け具５７の気体案内面部５７ｄが平坦な態様を示し、図（Ｂ）は巻掛け用気体吹付け具５７の気体案内面部５７ｄがガイドロール外周面６ａに沿って彎曲している態様を示している。
【図１４】本発明浮揚乾燥設備の第３の実施の形態を示す断面した右側面図である。
【図１５】本発明浮揚乾燥設備の第３の実施の形態における蛇行修正装置４のガイドロール６及び巻掛け用気体吹付け具５７の回りを拡大して示す断面した側面図である。
【図１６】第３の実施の形態における蛇行修正装置４のガイドロール６及び別態様の巻掛け用気体吹付け具５７の回りを拡大して示す断面した側面図であって、図（Ａ）は巻掛け用気体吹付け具５７の気体案内面部５７ｄが平坦な態様を示し、図（Ｂ）は巻掛け用気体吹付け具５７の気体案内面部５７ｄがガイドロール外周面６ａに沿って彎曲している態様を示している。
【図１７】第４の実施の形態に係る本発明浮揚乾燥設備７１を示す断面した側面図である。
【図１８】第５の実施の形態に係る本発明浮揚乾燥設備８１を示す断面した側面図である。
【発明を実施するための形態】
【００２８】
（第１の実施の形態）
第１の実施の形態に係る本発明浮揚乾燥設備１は、図１乃至図３に示す如く、前後方向へ延びて一方面Ｒｗ（図３参照）が塗着面側で他方面Ｒｄが非塗着面側となるウエブ通路Ｒの両面に一方側（一方面Ｒｗに面する側）及び他方側（他方面Ｒｄに面する側）のノズル箱３から気体を吹き付ける乾燥室２ａの二つを隣接させた浮揚乾燥装置２と、隣接する乾燥室２ａ，２ａの間に配置した蛇行修正装置４とを備えている。本例におけるウエブＷは、ウエブ通路Ｒを前から後へ向かって走行するようになっている。
【００２９】
前記乾燥室２ａは、図３に示す如く、ウエブ通路Ｒが貫通する室内２ｂを囲む仕切壁部２ｃと、ウエブ通路Ｒを挟んで上下側に配置したノズル群Ｎ１，Ｎ２と、上側（一方側）のノズル群Ｎ１の各ノズル箱３に連通する給気ダクト１２と、下側（他方側）のノズル群Ｎ２の各ノズル箱３に連通する給気ダクト１３とを備えている。ノズル群Ｎ１，Ｎ２の各々は、設備１の左右方向（前後方向と直交する方向）へ延びる複数個のノズル箱３，３…を適宜寸法Ｓ（例えば、１５０〜５００ｍｍの範囲内で選択される寸法）の間隔を開けて配置し、ノズル群Ｎ１の隣接するノズル箱３，３の間に、ノズル群Ｎ２のノズル箱３を対向させるようにしてある。給気ダクト１２，１３の各々は、図１０に示す如く、気体循環装置２４から供給される気体（例えば、空気や窒素気体等）Ｇを各ノズル箱３へ分配するようにしてある。また、乾燥室２ａは、仕切壁部２ｃに開口部２ｄ，２ｅが開設され、上側（一方側）のノズル群Ｎ１の各ノズル箱３から噴出した気体を開口部２ｄを介して気体循環装置２４へ還流させると共に、下側（他方側）のノズル群Ｎ２の各ノズル箱３から噴出した気体を開口部２ｅを介して気体循環装置２４へ還流させるようにしてある。
【００３０】
前記ノズル箱３は、図２及び図５に示す如く、左右方向に長い気体案内板１７と、気体案内板１７の前後外縁に開設された左右方向に長い前後一対の気体噴出スリツト１８，１８とを有している。該気体案内板１７は、図５に示す如く、静圧保持部となる平坦部１７ａと、平坦部１７ａの前後縁部で彎曲形成した前後一対のコアンダ部１７ｂ，１７ｂと、コアンダ部１７ｂ，１７ｂから延設した前後一対の裾部１７ｃ，１７ｃとが形成されている。前記気体噴出スリツト１８，１８は、裾部１７ｃ，１７ｃの外表面を気体Ｇの案内面とするように開設されている。該気体噴出スリツト１８，１８から噴出した気体Ｇは、裾部１７ｃ，１７ｃで案内されてコアンダ部１７ｂ，１７ｂに達し、コアンダ部１７ｂ，１７ｂでコアンダ効果により平坦部１７ａへ方向転換し、ウエブ通路Ｒを走行するウエブＷと平坦部１７ａの間に、室内２ｂの気体の静圧に比べてプラス側に大きいプラス静圧を発生させつつ平坦部１７ａから離反してウエブＷへ吹き付けられる。ウエブＷは、各ノズル箱３の平坦部１７ａとの間に発生したプラス静圧のクッション的な支持作用により波動曲線を描くように支持されて浮揚しながら走行する。ノズル箱３は、上記の構造に限定するものではなく、適宜変更することも可能である。
【００３１】
前記浮揚乾燥装置２ａは、図１０に示す如く、二組の気体循環装置２４，２４が接続されている。各組の気体循環装置２４は、乾燥室２ａの給気ダクト１２（又は１３）と乾燥室２ａの開口部２ｄ（又は２ｅ）とを連通させる循環通路２６と、循環通路２６の上流側に配置した循環ファン２７と、循環通路２６の下流側に配置した蒸気ヒータ、熱媒体油ヒータ又は電気ヒータ等からなる加熱器２８と、循環通路２６の上流側に接続した風量調節用ダンパ付き新鮮気体取入れ具２９とを備え、循環通路２６における新鮮気体取入れ具２９よりも上流側に風量調節用ダンパ付き排気路３０を接合してある。各気体循環装置２４は、乾燥室内２ｂを通過するウエブＷを浮揚させた後にウエブＷから離れる気体を、循環ファン２７の吸引力で開口部２ｄ（又は２ｅ）から循環通路２６へ吸引して循環させるときに、加熱器２８で設定温度まで加熱して乾燥室２ａの給気ダクト１２（又は１３）へ供給し、ノズル群Ｎ１（又はＮ２）の各ノズル箱３からウエブ通路Ｒに向かって気体を噴出させるようにしてある。また、各気体循環装置２４は、開口部２ｄ（又は２ｅ）から還流させた気体の一部を排気路３０及び集合排気ダクト３３を介して排気装置３１の排気ファン３２に吸引させると共に、新鮮気体取入れ具２９から新鮮気体を循環通路２６へ取り入れて、各ノズル箱３から噴出する気体の溶媒蒸気濃度を設定値となるようにしてある。本例の本発明浮揚乾燥設備１は、ノズル群Ｎ１用とノズル群Ｎ２用の二組の気体循環装置２４，２４を備えているが、一組の気体循環装置２４でノズル群Ｎ１及びＮ２へ設定温度の気体を供給して循環させるように構成することも可能である。
【００３２】
前記蛇行修正装置４は、図１乃至図４、図６、図７及び図１０に示す如く、ウエブ通路Ｒの他方面Ｒｄに接触する平行な二本のガイドロール６，６と、二本のガイドロール６，６の間に配置した巻掛け用気体吹付け具７と、二本のガイドロール６，６及び巻掛け用気体吹付け具７からなるウエブ案内装置５を左右方向に対して傾動（図７参照）せる傾動操作具８と、巻掛け用気体吹付け具７へ気体（例えば、空気や窒素気体等）を供給する気体循環装置２５（図１０参照）を備えている。巻掛け用気体吹付け具７は、図６に示す如く、ウエブ通路Ｒの一方面外側からウエブ通路Ｒの一方面Ｒｗに向かって気体を吹き付けることで、ウエブ通路Ｒにガイドロール６，６の各外周面６ａの周方向に沿う巻掛け領域Ｒｂ，Ｒｂを形成させつつ、二本のガイドロール６，６の間で両ガイドロール６，６に跨がってウエブ通路Ｒの他方面外側に向かって突出して彎曲するウエブ通路部分Ｒａを形成させ、ウエブ通路部分Ｒａを走行中のウエブＷを浮揚させることで一方面Ｒｗと非接触になるようにるようにしてある。
【００３３】
本例の蛇行修正装置４は、図２及び図３に示す如く、隣接する乾燥室２ａ，２ａの間に蛇行修正室４ａが設けられ、蛇行修正室４ａの室内４ｂを囲む仕切壁部４ｃと各乾燥室２ａの室内２ｂを囲む仕切壁部２ｃとを気密状に接合してある。ウエブ案内装置５の二本のガイドロール６，６及び巻掛け用気体吹付け具７は、図２及び図４に示す如く、各々の両端側が、蛇行修正室４ａの左右の仕切壁部４ｃに開設されている開口部４ｄ，４ｄを挿通して、蛇行修正室４ａの室外の左右に配置されている非通気性の連結板９，９に連結されている。これら開口部４ｄの周縁及び連結板９は、二本のガイドロール６，６及び巻掛け用気体吹付け具７の端側を囲む可撓性且つ非通気性の接合筒部１０で気密状に接合されている。また、傾動操作具８は、蛇行修正室４ａの室外に配置されて、連結板９に連結されている。左右の連結板９，９は、連結フレーム１５，１５で連結されて一体化してある。蛇行修正装置４は、図１に示す如く、仕切壁部４ｃの適所に点検扉１９及び点検窓２０が設けられている。
【００３４】
前記二本のガイドロール６，６は、外周面６ａの直径が５０〜１５０ｍｍ程度の範囲から選択され、外周面６ａを金属表面とする他に、巻掛けるウエブＷの横滑りを防止して蛇行修正を確実に実行させるために、ロール外周面６ａを摩擦抵抗の大きなゴム層で形成することもある。また、二本のガイドロール６，６は、回転自在なフリーロール、または、ロール外周面６ａを形成する筒部を軸支する軸部を強制的に回転駆動させるテンデンシーロール（連れ回りロール）が、ウエブＷの特性に応じて選択される。
【００３５】
前記巻掛け用気体吹付け具７は、図６及び図４に示す如く、左右方向に延びる中空半円筒部７ａにウエブ通路Ｒの一方面Ｒｗと対向する彎曲面部７ｂを形成すると共に、多孔板等からなる彎曲面部７ｂに円孔、長孔、スリット等からなる複数個の吹出し口７ｃを開設して気体を噴出させることで、ガイドロール６，６の間の彎曲したウエブ通路部分Ｒａを通過するウエブＷを浮揚させ、ウエブＷに彎曲面部７ｂを接触させないようにしてある。彎曲したウエブ通路部分Ｒａを通過するウエブＷは、ウエブ張力と巻掛け用気体吹付け具７から噴出する気体の圧力が釣り合うことで、ガイドロール６，６の外周面の各巻掛け領域Ｒｂに圧着するように巻掛けられ、各ガイドロール６の外周面上における左右方向への横滑りが阻止され、蛇行修正が確実に実行されることになる。巻掛け用気体吹付け具７は、図１０、図４及び図６に示す如く、蛇行修正室４ａの室外に配置した気体循環装置２５（図１０参照）から、蛇行修正室４ａ内に配置した可撓性のダクト２１，２１を介して中空半円筒部７ａの内部に温度調節されたウエブ浮揚用の気体が供給されるようになっている。
【００３６】
前記傾動操作具８は、図２、図４、図６及び図７に示す如く、左右の連結板９，９の各々に取着した支持部９ａを回転自在に軸支４３（図４、図７（Ａ）参照）する左右のスライダー４０，４０と、各スライダー４０を案内する左右の固定されたレール４１，４１と、左右のスライダー４０，４０の一方（本例は左側）をスライド移動させる油圧シリンダ又はサーボモータ等のアクチュエータを有する原動部４２とを備えている。蛇行修正装置４は、図８に示す如く、その機構を簡略的にみると、二本のガイドロール６，６、巻掛け用気体吹付け具７及び左右の連結板９，９を一つの節（リンク）Ｌ１とし、左右のスライダー４０，４０の各々を一つの節Ｌ２，Ｌ３とし、固定したレール４１，４１を一つの節Ｌ４とした四節限定連鎖となり、節Ｌ２（左のスライダー４０）及び節Ｌ３（右のスライダー４０）の各々の直線移動方向に垂直な直線Ｍ１，Ｍ２の交点Ｏが、固定した節Ｌ４（レール４１，４１）に対する移動する節Ｌ１（二本のガイドロール６，６及び巻掛け用気体吹付け具７）の瞬間中心となる。蛇行修正装置４は、この瞬間中心Ｏをウエブ通路Ｒの幅方向の範囲内に位置させ、二本のガイドロール６，６及び巻掛け用気体吹付け具７が走行中のウエブＷに皺を発生させ難くい状態で蛇行修正できるようにしてある。傾動操作具８は、蛇行修正室４ａの室内４ｂに配置した非接触式の検知器２３でウエブＷの幅方向の位置（例えば耳端の位置）を監視してウエブＷの蛇行を検知し、検知器２３の検知信号に基づいて傾動操作具８の原動部２３を起動・停止させて、ウエブＷの蛇行を修正させるようにしてある。
【００３７】
前記蛇行修正装置４は、二本のガイドロール６，６、巻掛け用気体吹付け具７及び左右の連結板９，９からなる一つの節Ｌ１が一体となって移動するめた、前記蛇行修正室４ａの開口部４ｄの周縁と連結板９を接合する接合筒部１０、及び、巻掛け用気体吹付け具７に接合されるダクト２１，２１を可撓性（フレキシブル）としてある。
【００３８】
ところで、ウエブＷの上下両面にノズル箱３，３から気体（熱風）を吹き付けてウエブＷを浮揚させながらウエブＷの片側表面に塗着されている塗膜を乾燥させる本発明浮揚乾燥設備１は、図５に示す如く、ウエブＷに接触伝熱するものとして熱風以外のものがないため、ウエブＷの温度値Ｔ２が塗膜から蒸発する溶媒の湿球温度（温度計を溶媒で湿したときに示される温度）と略等しくなり、ウエブＷをガイドロールに接触伝熱させつつ塗膜に熱風を吹き付ける乾燥方式に比べ、ノズル箱３から噴出する気体（熱風）Ｇの温度値Ｔ１を高くすることが可能となる。そして、乾燥室２ａの室内２ｂは、ノズル箱３からウエブＷに吹き付けた後にウエブＷから離れた熱風が充満するため、温度値Ｔ１より若干低温の室内温度Ｔ３となる。仮に、図３に示す乾燥室２ａの室内２ｂの室内温度Ｔ３の気体が蛇行修正室４ａの室内４ｂへ流出して蛇行修正室室内４ｂに充満した場合には、二本のガイドロール６，６の温度値が乾燥室２ａを出た直後のウエブＷの温度値Ｔ２よりも相当高くなって、高温のガイドロール６，６に接触伝熱するウエブＷに熱的収縮等のダメイジを与えることもある。そこで、本発明浮揚乾燥設備１は、二本のガイドロール６，６でウエブＷを加熱させないための気体循環装置２５を備えている。
【００３９】
蛇行修正装置４用の気体循環装置２５は、図１０に示す如く、蛇行修正室４の室内４ｂと巻掛け用気体吹付け具７とを連通させる循環通路３４と、循環通路３４の上流側に配置した循環ファン３５と、循環通路３５の下流側に配置した温度調節器付きの加熱器３６と、循環通路２６に接合した風量調節用ダンパ付き排気路３８と、循環通路３４における排気路３８よりも下流側に設けた風量調節用ダンパ付き新鮮気体取入れ具３７とを備え、加熱器３６を温度調節することで、蛇行修正室４の室内４ｂにおける二本のガイドロール６，６の周囲の気体の温度を、乾燥室２ａから送り出されるウエブＷの温度値Ｔ２以下にできるようにしてある。気体循環装置２５は、二本のガイドロール６，６の何れか一方又は両方におけるウエブが巻掛けられていない外周面近傍に温度センサー３９を配置し、温度センサー３９で検知した温度値が乾燥室２ａから送り出されるウエブＷの温度値Ｔ２を越えないで温度値Ｔ２に近づくように、加熱器３６を温度調節するようにしてある。蛇行修正室内４ｂへ進入するウエブＷの温度値Ｔ２は、蛇行修正室内４ｂに配置した非接触式の温度センサー（図示略）で検知するとよい。気体循環装置２５は、乾燥室２ａの室内２ｂの気体を蛇行修正室４の室内４ｂへ流入させないように、排気路３８及び新鮮気体取入れ具３７の各ダンパ開度を調節することで、蛇行修正室４の室内４ｂの気体の静圧を隣接する乾燥室２ａ，２ａの各室内２ｂの気体の静圧と同等又は若干高くして、乾燥室内２ｂの気体を蛇行修正室内４ｂへ流入するのを阻止することで、二本のガイドロール６，６の周囲の気体を温度値Ｔ２以下にすることを確保させるようにしてある。また、気体循環装置２５は、排気路３８及び新鮮気体取入れ具３７の各ダンパ開度を調節することで、蛇行修正室内４ｂに所定濃度以上の溶媒蒸気を充満させないようにしてある。
【００４０】
前記ウエブ通路Ｒは、図１乃至図５に示す一方面（塗着面側）Ｒｗが上側で他方面（非塗着面側）Ｒｄが下側となる状態を逆転させて、一方面（塗着面側）Ｒｗが下側で他方面（非塗着面側）Ｒｄが上側となることもある。この場合の蛇行修正装置４は、図９に示す如く、ウエブ通路Ｒの上面側の他方面（非塗着面側）Ｒｄに二本のガイドロール６，６の外周面６ａ，６ａを接触させると共に、巻掛け用気体吹付け具７の上側へ突設する彎曲面部７ｂからウエブ通路Ｒの下面側の一方面（塗着面側）Ｒｗに向かって気体を吹き付けてウエブＷと彎曲面部７ｂとを非接触状態となるように構成するとよい。
【００４１】
本発明浮揚乾燥設備１は、図７に示す如く、蛇行修正装置４の二本のガイドロール６，６及び巻掛け用気体吹付け具７からなるウエブ案内装置５を傾動操作具８で操作し、図（Ａ）に示すようにウエブＷが蛇行していないときには、ウエブ案内装置５について左右方向へ移動させずに停止状態を維持させ、また、図（Ｂ）に示すようにウエブＷが左側へ蛇行するときには、ウエブ案内装置５について右側が右前方向（左側が右後方向）へ移動するように傾動角度β１で傾動させて蛇行修正を行ない、逆に、図（Ｃ）に示すようにウエブＷが右側へ蛇行するときには、ウエブ案内装置５について右側が左後方向（左側が左前方向）へ移動するように傾動角度β２で傾動さて蛇行修正を行なう。なお、傾動角度β１，β２は、設備１の左右方向Ｅとガイドロール６の回転中心線Ｄとの交差角度を指し、ウエブＷの蛇行の程度に応じて変化する。
【００４２】
本発明浮揚乾燥設備１は、本例では、図３に示す如く、隣接する乾燥室２ａ，２ａが、各乾燥室２ａの一方側及び他方側のノズル箱３の間でウエブ通路Ｒに沿って延びる仮想平面Ｐについて、水平で且つ両仮想平面Ｐ，Ｐを同一面となるように連続させてあるが、これに限定するものではなく、図示は省略したが、両仮想平面Ｐ，Ｐを水平に対して傾斜させるように隣接する乾燥室２ａ，２ａを傾斜姿勢にする場合や、両仮想平面Ｐ，Ｐが上下にずれるように隣接する乾燥室２ａ，２ａを上下にずらして配置する場合もある。隣接する乾燥室２ａ，２ａを上下にずらして配置する場合には、ガイドロール６，６を上下にずらして配置するとよい。
【００４３】
本発明浮揚乾燥設備１のウエブ通路Ｒを走行するウエブＷは、図３及び図６に示す如く、ウエブ通路上流側（前側）の乾燥室２ａを通過して蛇行修正装置４へ至ると、蛇行修正装置４における上流側のガイドロール６の巻掛け領域Ｒｂに巻掛けられて該ガイドロール６で案内された後に、ガイドロール６，６の間の彎曲するウエブ通路部分Ｒａを浮揚しながら通過し、次に下流側のガイドロール６の巻掛け領域Ｒｂに巻掛けられて該ガイドロール６で案内され、ウエブ通路下流側（後側）の乾燥室２ａへ向かって走行する。ウエブＷは、ガイドロール６，６の間の彎曲するウエブ通路部分Ｒａを通過するときに、巻掛け用気体吹付け具７から噴出する気体の圧力とウエブ張力が釣り合うことで、蛇行修正装置４のガイドロール６，６に圧着するように巻掛けられることになり、各ガイドロール６の外周面上における左右方向への横滑りが阻止され、蛇行修正のときに傾動するガイドロール６，６と一体になって移動することになる。
【００４４】
本発明浮揚乾燥設備１は、ウエブ通路Ｒを走行して乾燥室２ａを通過中のウエブの蛇行修正を行うときに、図３に示す如く、乾燥室２ａのノズル箱３から吹き付けられてウエブＷの表面を通過する気体の移動状況に変化を生じさせないことから、塗膜の幅方向における乾燥状態の均一性を保持できると共に、図６及び図９に示す如く、蛇行修正装置４を通過しているウエブＷの塗着面側と蛇行修正装置４との接触がないため、塗膜に傷等の欠陥を生じさせることもない。また、本発明浮揚乾燥設備１は、蛇行修正室４ａの室内４ｂが蛇行修正室４ａの仕切壁部４ｃ、連結板９及び接合筒部１０で気密状に囲まれているため、乾燥室２ａの室内２ｂから蛇行修正室４ａの室内４ｂへ移動した気体を外部へ漏洩させることがなく、乾燥室２ａ及び蛇行修正室４ａの室外における作業環境を悪化させることもない。
【００４５】
更に、本発明浮揚乾燥設備１は、蛇行修正室４ａの室内４ｂにおける二本のガイドロール６，６の各外周面６ａの温度値が乾燥室２ａから送り出されるウエブＷの温度値Ｔ２を越えることがないため、ウエブＷに接触する二本のガイドロール６，６でウエブＷを異常に昇温させることもなく、ウエブＷに加熱による熱的収縮等のダメイジを与えることがない。
【００４６】
（第２の実施の形態）
図１１は本発明浮揚乾燥設備１の蛇行修正装置４の第２の実施の形態を示すものであり、図１２及び図１３は蛇行修正装置４におけるガイドロール６及び巻掛け用気体吹付け具５７の回りを拡大して示す断面した側面図である。蛇行修正装置４は、一本のガイドロール６及び巻掛け用気体吹付け具５７からなるウエブ案内装置５５を備え、左右方向へ延びる連結フレーム１５，１５で連結した左右の連結板９，９の間にウエブ案内装置５５を配置し、ウエブ案内装置５５が左右の連結板９，９と一体に傾動するようにしてある。なお、本例の本発明浮揚乾燥設備１における蛇行修正装置４以外の構成は、前記第１の実施の形態（図１乃至図１０）と実質的に同一である。
【００４７】
前記巻掛け用気体吹付け具５７は、図１２に示す如く、蛇行修正装置用の気体循環装置２５（図１０参照）から可撓性ダクト２１を介して気体が供給されるノズル箱本体５７ａと、ノズル箱本体５７ａの前後側からウエブ通路Ｒへ向かって突設する二本のノズル５７ｂ，５７ｂとを備え、ノズル５７ｂ，５７ｂの先端の吹出し口５７ｃ，５７ｃからウエブ通路Ｒの一方面Ｒｗに向かって気体を吹き付けることで、ガイドロール６に沿う巻掛け領域Ｒｂをウエブ通路Ｒに形成させるようにしてある。二本のノズル５７ｂ，５７ｂは、ウエブ通路Ｒの巻掛け領域Ｒｂにおける通路上流・下流両側の縁部近辺箇所Ｒｃ，Ｒｃへ向かって気体を吹き付けて、吹き付ける気体の圧力（動圧）でウエブＷを押圧しつつガイドロール６の外周面６ａに圧着させて巻掛けるようにしてある。ノズル箱本体５７ａは、内部に整流具５７ｈを配置して両方の吹出し口５７ｃ，５７ｃから気体が左右方向の全域にわたって均一に吹き出すようにしてある。このように蛇行修正装置４は、一本のガイドロール６と、両側に吹出し口５７ｃ，５７ｃを有する巻掛け用気体吹付け具５７とを備えることで、その構造を簡単にできるようになる。
【００４８】
また、巻掛け用気体吹付け具５７は、図１３（Ａ）に示す構造に変更することも可能である。この巻掛け用気体吹付け具５７は、ウエブ通路Ｒを介してガイドロール６に対面する気体案内面部５７ｄと、気体案内面部５７ｄの両縁部に曲成したコアンダ部５７ｅ，５７ｅと、コアンダ部５７ｅ，５７ｅから延設した前後一対の裾部５７ｆ，５７ｆと、コアンダ部５７ｅ，５７ｅに面する吹出し口５７ｃ，５７ｃとをノズル箱本体５７ａに形成してある。この巻掛け用気体吹付け具５７は、両側の吹出し口５７ｃ，５７ｃから吹出した気体が、コアンダ部５７ｅのコアンダ効果で気体案内面部５７ｄへ方向転換して、ウエブ通路Ｒを走行するウエブＷと気体案内面部５７ｄの間に、ウエブ通路Ｒの他方面Ｒｄ側の静圧に比べてプラス側に大きいプラス静圧を生じさせ、このプラス静圧でウエブＷをガイドロール６の外周面６ａに圧着させながら巻掛けることで、ガイドロール６の外周面上でウエブＷを左右方向へ横滑りさせることなく、ウエブＷを確実にガイドさせることができる。両側の吹出し口５７ｃ，５７ｃから吹出した気体は、ウエブＷと気体案内面部５７ｄの間にプラス静圧を生じさせつつ、ウエブ通路Ｒの巻掛け領域Ｒｂにおける通路上流・下流両側の縁部近辺箇所Ｒｃ，Ｒｃへ向かって気体を吹き付けるようになっている。
【００４９】
巻掛け用気体吹付け具５７は、気体案内面部５７ｄを図１３（Ａ）に示すように平坦に形成する以外に、図１３（Ｂ）に示す如く、彎曲形成した気体案内面部５７ｄとガイドロール６の外周面６ａとの距離を略一定にすることで、ガイドロール６の外周面６ａに気体案内面部５７ｄを接近可能にして、気体案内面部５７ｄの前後全域とウエブＷとの間に図１３（Ａ）の態様に比べて大きなプラス静圧を生じさせ、ウエブＷをガイドロール６の外周面６ａに確実に圧着させるようにすることもある。なお、ガイドロール６と巻掛け用気体吹付け具５７の間が狭いために、設備１の運転前のウエブ通路ＲへウエブＷを通し難いときには、左右の連結板９，９に対して巻掛け用気体吹付け具５７を移動自在に取付て、巻掛け用気体吹付け具５７をガイドロール６に対して離反・接近可能とし、運転前にウエブＷを通すときには離反させ、運転中には接近させるとよい。
【００５０】
（第３の実施の形態）
図１４は本発明浮揚乾燥設備１が備える蛇行修正装置４の第３の実施の形態を示すものであり、図１５及び図１６は蛇行修正装置４におけるガイドロール６及び巻掛け用気体吹付け具５７の回りを拡大して示す断面した側面図である。蛇行修正装置４は、間隔を開けて平行に並設させた左右方向へ延びる三本のガイドロール６，６，６及び巻掛け用気体吹付け具５７からなるウエブ案内装置６５を備え、連結フレーム１５，１５で連結した左右の連結板９，９の間にウエブ案内装置６５を配置し、ウエブ案内装置６５が左右の連結板９，９と一体に傾動するようになっている。なお、本例の本発明浮揚乾燥設備１における蛇行修正装置４以外の構成は、前記第１の実施の形態（図１乃至図１０）と実質的に同一である。
【００５１】
前記巻掛け用気体吹付け具５７は、図１５に示す如く、蛇行修正装置用の気体循環装置２５（図１０参照）から可撓性ダクト２１を介して気体が供給されるノズル箱本体５７ａと、ノズル箱本体５７ａの前後間からウエブ通路Ｒへ向かって突設する四本のノズル５７ｂ，５７ｂ…とを備え、四本のノズル５７ｂ，５７ｂ…の各先端の吹出し口５７ｃからウエブ通路Ｒの一方面Ｒｗに向かって気体を吹き付けることで、三本のガイドロール６，６，６に沿う巻掛け領域Ｒｂをウエブ通路Ｒに形成させるようにしてある。前後両側のノズル５７ｂ，５７ｂの先端の吹出し口５７ｃ，５７ｃは、ウエブ通路Ｒの巻掛け領域Ｒｂにおける通路上流・下流両側の縁部近辺箇所Ｒｃ，Ｒｃへ向かって気体を吹き付けると共に、中間のノズル５７ｂ，５７ｂの先端の吹出し口５７ｃ，５７ｃは、隣接するガイドロール６，６の間に向かって気体を吹き付けることで、ウエブＷを各ガイドロール６の外周面６ａに巻掛けるようにしてある。巻掛け用気体吹付け具５７は、前後両側及び中間の各吹出し口５７ｃから吹き出す気体で、走行するウエブＷを三本のガイドロール６の各々に圧着させながら巻掛けて総巻掛け長さ寸法を増大させ、各ガイドロール６にウエブＷを左右方向へ横滑らすことなく確実にガイドさせることができる。
【００５２】
また、巻掛け用気体吹付け具５７は、図１６（Ａ）に示す構造に変更することもある。この巻掛け用気体吹付け具５７は、ウエブ通路Ｒを介して三本のガイドロール６，６，６に対面する気体案内面部５７ｄと、気体案内面部５７ｄの前後両縁部に曲成したコアンダ部５７ｅ，５７ｅと、コアンダ部５７ｅ，５７ｅから延設した前後一対の裾部５７ｆ，５７ｆと、コアンダ部５７ｅ，５７ｅに面する吹出し口５７ｃ，５７ｃとをノズル箱本体５７ａに形成してある。前側の吹出し口５７ｃは、通路上流側（前側）のガイドロール６に接するウエブ通路Ｒの巻掛け領域Ｒｂにおける上流側縁部近辺箇所Ｒｃへ向かって気体を吹き付け、また、後側の吹出し口５７ｃは、通路下流側（後側）のガイドロール６に接するウエブ通路Ｒの巻掛け領域Ｒｂにおける下流側縁部近辺箇所Ｒｃへ向かって気体を吹き付けるようになっている。巻掛け用気体吹付け具５７は、両側の吹出し口５７ｃ，５７ｃから吹出した気体が、コアンダ部５７ｅのコアンダ効果で気体案内面部５７ｄへ方向転換して、走行するウエブＷと気体案内面部５７ｄの間に、ウエブ通路Ｒの他方面Ｒｄ側の静圧に比べてプラス側に大きいプラス静圧を生じさせ、このプラス静圧でウエブＷを三本のガイドロール６，６，６の各外周面６ａに圧着させて、ガイドロール６にウエブＷを左右方向へ横滑りさせることなく確実にガイドさせることができる。なお、巻掛け用気体吹付け具５７は、隣接するガイドロール６，６の間へ向かって気体を吹出させる複数個の吹出し孔５７ｇを気体案内面部５７ｄに開設して、隣接するガイドロール６，６に跨がるウエブＷに気体を吹付けることで、ガイドロール６の外周面６ａに対するウエブＷの巻掛け長さ寸法を増大させるようにすることも可能である。
【００５３】
巻掛け用気体吹付け具５７は、気体案内面部５７ｄを図１６（Ｂ）に示すように平坦に形成する以外に、図１６（Ｂ）に示す如く、彎曲形成した気体案内面部５７ｄと各ガイドロール６の外周面６ａとの距離を略一定にすることで、各ガイドロール６の外周面６ａに気体案内面部５７ｄを接近可能にして、気体案内面部５７ｄの前後全域とウエブＷとの間に大きなプラス静圧を生じさせ、ウエブＷをガイドロール６の外周面６ａに確実に圧着させるようにすることもある。
【００５４】
前記ウエブ案内装置６５は、ガイドロール６の本数を二本又は四本以上とすることも可能であり、ガイドロール６の本数の変更に伴い、図１５に示すノズル５７ｂの本数も変更するとよい。
【００５５】
（第４の実施の形態）
図１７に示す実施の形態に係る本発明浮揚乾燥設備７１は、蛇行修正装置４を介して隣接する乾燥室２ａ，２の配置を前側から後側へ向かって下り傾斜させた点が、隣接する乾燥室２ａ，２の配置を前側から後側へ向かって一直線とした前記第１の実施の形態と大きく異なり、その他の部分については第１の実施の形態と実質的に同一であり、図１７において図１乃至図１０と同一符号は相当部分を示す。
【００５６】
本例の本発明浮揚乾燥設備７１は、蛇行修正装置４を介して隣接する乾燥室２ａ，２ａが、各乾燥室２ａの一方側のノズル箱３及び他方側のノズル箱３の間でウエブ通路Ｒに沿って延びる仮想平面Ｐについて、仮想平面Ｐ，Ｐどうしを交差角度θ（例えば、１〜３０度の範囲で選択される角度）で交差させてある。
【００５７】
本例の本発明浮揚乾燥設備７１は、隣接する乾燥室２ａ，２の仮想平面Ｐ，Ｐどうしを交差させることで、隣接する乾燥室２ａ，２を屈折させた状態で連ねることができ、ウエブＷの耳端カール防止、又は建物の内部の構造に乾燥室２ａ，２ａの配置を対応させることができる。
【００５８】
（第５の実施の形態）
図１８に示す実施の形態に係る本発明浮揚乾燥設備８１は、蛇行修正装置４を介して隣接する乾燥室２ａ，２ａの配置を前側から後側へ向かって上り傾斜させた点が、隣接する乾燥室２ａ，２の配置を前側から後側へ向かって一直線とした前記第１の実施の形態と大きく異なり、その他の部分については第１の実施の形態と実質的に同一であり、図１８において図１乃至図１０と同一符号は相当部分を示す。
【００５９】
本例の本発明浮揚乾燥設備８１は、蛇行修正装置４を介して隣接する乾燥室２ａ，２ａが、各乾燥室２ａの一方側のノズル箱３及び他方側のノズル箱３の間でウエブ通路Ｒに沿って延びる仮想平面Ｐについて、仮想平面Ｐ，Ｐどうしを交差角度θ（例えば、１〜３０度の範囲で選択される角度）で交差させてある。
【００６０】
（その他の実施の形態）
図１７に示す本発明浮揚乾燥設備７１及び図１８に示す本発明浮揚乾燥設備８１に備えた二本のガイドロール６，６及び巻掛け用気体吹付け具７からなるウエブ案内装置５を、図１１乃至図１３に示す一本のガイドロール６及び巻掛け用気体吹付け具５７からなるウエブ案内装置５５、又は、図１４乃至図１６に示す複数本のガイドロール６，６…及び巻掛け用気体吹付け具５７からなるウエブ案内装置６５に置換することも可能である。
【符号の説明】
【００６１】
１（７１，８１）…本発明乾燥設備、２…浮揚乾燥装置、２ａ…乾燥室、２ｂ…室内、２ｃ…仕切壁部、２ｄ…開口部、２ｅ…開口部、３…ノズル箱、４…蛇行修正装置、４ａ…蛇行修正室、４ｂ…室内、４ｃ…仕切壁部、４ｄ…開口部、５…ウエブ案内装置、６…ガイドロール、６ａ…外周面、７…巻掛け用気体吹付け具、７ａ…中空半円筒部、７ｂ…彎曲面部、７ｃ…吹出し口、８…傾動操作具、９…連結板、９ａ…支持部、１０…接合筒部、１２…給気ダクト、１３…給気ダクト、１５…連結フレーム、１７…気体案内板、１７ａ…平坦部、１７ｂ…裾部、１７ｃ…コアンダ部、１８…気体噴出スリット、１９…点検扉、２０…点検窓、２１…ダクト、２３…検知器、２４…気体循環装置（浮揚乾燥装置用）、２５…気体循環装置（蛇行修正装置用）、２６…循環通路、２７…循環ファン、２８…加熱器、２９…新鮮気体取入れ具、３０…排気路、３１…排気装置、３２…排気ファン、３３…集合排気ダクト、３４…循環通路、３５…循環ファン、３６…加熱器、３７…新鮮気体取入れ具、３８…排気路、３９…温度センサー、４０…スライダー、４１…レール、４２…原動部、４３…軸支、５５…ウエブ案内装置、５７…巻掛け用気体吹付け具、５７ａ…ノズル箱本体、５７ｂ…ノズル、５７ｃ…吹出し口、５７ｄ…気体案内面部、５７ｅ…コアンダ部、５７ｆ…裾部、５７ｇ…吹出し孔、５７ｈ…整流具、Ｄ…ガイドロール６の回転中心線、Ｅ…設備の左右方向、Ｇ…気体、Ｌ１…節（５，６，７，９）、Ｌ２…節（４０）、Ｌ３…節（４０）、Ｌ４…節（４１，４１）、Ｍ１，Ｍ２…瞬間中心Ｏを求める直線、Ｎ１…ノズル群（一方側である上側）、Ｎ２…ノズル群（他方側である下側）、Ｏ…交点（瞬間中心）、Ｐ…仮想平面、Ｒ…ウエブ通路、Ｒａ…彎曲するウエブ通路部分、Ｒｂ…巻掛け領域、Ｒｃ…縁部近辺箇所、Ｒｄ…他方面（非塗着面側）、Ｒｗ…一方面（塗着面側）、Ｓ…隣接するノズルの間隔の寸法、Ｔ１…ノズル箱３の吹き付ける気体の温度値、Ｔ２…ウエブ温度値、Ｔ３…室内温度、Ｔ４…ウエブ方向転換具７の吹き付ける気体の温度値、Ｗ…ウエブ、θ…交差角度、β１，β２…傾動角度
【図１】
0005395139.tif 000002
【図２】
0005395139.tif 000003
【図３】
0005395139.tif 000004
【図４】
0005395139.tif 000005
【図５】
0005395139.tif 000006
【図６】
0005395139.tif 000007
【図７】
0005395139.tif 000008
【図８】
0005395139.tif 000009
【図９】
0005395139.tif 000010
【図１０】
0005395139.tif 000011
【図１１】
0005395139.tif 000012
【図１２】
0005395139.tif 000013
【図１３】
0005395139.tif 000014
【図１４】
0005395139.tif 000015
【図１５】
0005395139.tif 000016
【図１６】
0005395139.tif 000017
【図１７】
0005395139.tif 000018
【図１８】
0005395139.tif 000019